(57)【要約】【課題】水流が濾材に接触して活性性能を向上させることができる活水器を提供することにある。【解決手段】水流を一方向とする給水口１４を下部に設けた容器１１と、一方向からの水流を導出する導出口１６を設けた蓋体１３と、前記容器１１の内部に収容され、多数の流水孔２０を有した複数段の仕切り板１８と、前記各仕切り板１８内に収容されるセラミックまたは自然石の濾材２３とを備えた活水器において、前記仕切り板１８は、その板面に前記給水口１４からの一方向の水流を流水する大小異なる内径を有する多数の流水孔２０と、前記水流に容器１１の内部で旋回流を発生させる複数の羽根板２１とを備えていることを特徴とする。【選択図】図２
2005144385.tif 000002
【特許請求の範囲】
【請求項１】
水流を一方向とする給水口を下部に設けた容器と、一方向からの水流を導出する導出口を設けた蓋体と、前記容器の内部に収容され、多数の流水孔を有した複数段の仕切り板と、前記各仕切り板内に収容されるセラミックまたは自然石の濾材とを備えた活水器において、
前記仕切り板は、その板面に設けられ前記給水口からの一方向の水流を流水する大小異なる内径を有する多数の流水孔と、前記板面に設けられ水流に容器の内部で旋回流を発生させる複数の羽根板とを備えていることを特徴とする活水器。
【請求項２】
前記羽根板は、仕切り板の板面の上方へ斜めに切起した切起し片からなり、これら切起し片は全て同一方向に、同一角度に傾斜していることを特徴とする請求項１記載の活水器。
【発明の詳細な説明】
【技術分野】
【０００１】
この発明は、水道水等にミネラル分を付与し、活性化する活水器に関する。
【背景技術】
【０００２】
水道水等にミネラル分を付与し、活性化する活水器（例えば、特許文献１参照。）は、容器の下部に水流を一方向とする給水口を設け、容器の上部に一方向からの水流を導出する導出口を有する蓋体を設けている。そして、容器の内部に多数の流水孔を有した複数段の棚板を収納するとともに、各棚板内にセラミックまたは自然石の濾材を収容し、水道水が濾材中を通過する間に、活性化されて弱アルカリ性の水になるようになっている。
【０００３】
また、給水口と導出口に対面して翼を設け、給水口からの水流を翼によって渦巻状の水流とするとともに、渦巻状の水流を翼によって吸込むようにして水流が濾材に接触する長さを長くしている。
【特許文献１】特許第３３０４５１４号公報
【発明の開示】
【発明が解決しようとする課題】
【０００４】
しかしながら、特許文献１は、棚板が上部開口の円筒体で、その底面及び外周面に無数の流水孔を穿設した構造である。従って、給水口に翼を対面して設けて渦巻状の水流を発生させても、棚板の底面及び外周面に設けられた無数の流水孔を通過するときに、水圧が減衰され、棚板の内部の濾材に接触する割合が低く、活性性能の低下を招いている。
【０００５】
この発明は、前記事情に着目してなされたもので、その目的とするところは、容器の内部で旋回流を発生させ、水流が濾材に接触して活性性能を向上させることができる活水器を提供することにある。
【課題を解決するための手段】
【０００６】
この発明は、前記目的を達成するために、請求項１は、水流を一方向とする給水口を下部に設けた容器と、一方向からの水流を導出する導出口を設けた蓋体と、前記容器の内部に収容され、多数の流水孔を有した複数段の仕切り板と、前記各仕切り板内に収容されるセラミックまたは自然石の濾材とを備えた活水器において、前記仕切り板は、その板面に設けられ前記給水口からの一方向の水流を流水する大小異なる内径を有する多数の流水孔と、前記板面に設けられ水流に容器の内部で旋回流を発生させる複数の羽根板とを備えていることを特徴とする。
【０００７】
請求項２は、請求項１の前記羽根板は、仕切り板の板面の上方へ斜めに切起した切起し片からなり、これら切起し片は全て同一方向に、同一角度に傾斜していることを特徴とする。
【発明の効果】
【０００８】
この発明によれば、容器の内部で水流に旋回流を発生させる複数の羽根板を仕切り板に設けることにより、水流が濾材に接触して活性性能を向上させることができる。
【発明を実施するための最良の形態】
【０００９】
以下、この発明の実施の形態を図面に基づいて説明する。
【００１０】
図１に示す、容器１１は上部開口の円筒体で、容器１１の上部開口はシール部材１２を介して蓋体１３によって閉塞されている。容器１１の下部における側壁には給水口１４を構成する給水管１５が設けられ、水道管（供給側）と接続されるようになっている。蓋体１３の中央部には導出口１６を構成する導出管１７が設けられ、水道管（需要側）と接続されるようになっている。
【００１１】
容器１１の内部には複数枚、本実施形態においては３枚の仕切り板１８が上下に間隔を存して配置されている。また、容器１１の内部の最上段にはパンチングプレート１９が設けられている。そして、３枚の仕切り板１８相互と、最上段の仕切り板１８とパンチングプレート１９との間は複数本のロッド１９ａによって支持され、仕切り板１８とパンチングプレート１９は水平状態に配置されている。
【００１２】
前記３枚の仕切り板１８は同一形状であるため、その１枚について説明すると、図２に示すように、材質は、例えばＳＵＳ３０４で、板厚１ｍｍの円板状であり、その外径は容器１１の内径より僅かに小径に形成されている。仕切り板１８には、例えば内径が６ｍｍφの大径孔２０ａ，例えば内径が４ｍｍφの中径孔２０ｂ，例えば内径が２ｍｍφの小径孔２０ｃの貫通する３種類の真円の流水孔２０が穿設されている。
【００１３】
仕切り板１８の中央部には中径孔２０ｂと小径孔２０ｃとが集中して配置されている。さらに、仕切り板１８の中央部から外周部方向に放射状に大径孔２０ａと中径孔２０ｂが配置されている。さらに、容器１１の内部で水流に旋回流を発生させるために、複数、本実施形態では４枚の羽根板２１が周方向に９０°間隔に配置されている。これら羽根板２１は、仕切り板１８の板面の上方へ斜めに切起した切起し片からなり、これら切起し片は全て同一方向に、同一角度（例えば３０°）に傾斜している。従って、仕切り板１８には切起しによって略矩形状の流水孔２２が設けられ、この流水孔２２を通過して容器１１の内部を上昇する水流が羽根板２１によって旋回流を発生するようになっている。
【００１４】
各仕切り板１８の上部には濾材２３としてセラミック粒子、セラミック小パイプ、軽石、蛇紋石、花崗岩、五色石等の自然石粒が収容されている。これら濾材２３は仕切り板１８を貫通して上昇する水流によって上部の仕切り板１８及びパンチングプレート１９との間で撹拌されるようになっている。
【００１５】
次に、前述のように構成された活水器の作用について説明する。
【００１６】
容器１１の下部の給水口１４から容器１１の内部に給水された水道水は、まず最下段の仕切り板１８の流水孔２０を通過して上昇するが、流水孔２０は大径孔２０ａ，中径孔２０ｂ及び小径孔２０ｃの３種類が混在して穿設されている。従って、大径孔２０ａの水柱は低く，小径孔２０ｃの水柱は高く、中径孔２０ｂの水柱はその中間である。従って、高さの異なる３種類の水柱ができる。さらに、羽根板２１が同一方向に、同一角度に傾斜しているため、流水孔２２を通過して容器１１の内部を上昇する水流が羽根板２１によって旋回流が発生する。従って、仕切り板１８の上部の濾材２３は水柱と旋回流によって撹拌され、水道水が濾材２３と効率的に接触して活性化される。すなわち、旋回する水流の中で濾材２３の放射エネルギーが水道水に伝えられて活性化される。
【００１７】
最下段の仕切り板１８を通過して水流は下から中段の仕切り板１８、最上段の仕切り板１８の順に通過するときに、前述と同様に、仕切り板１８の上部の濾材２３は水柱と旋回流によって撹拌され、水道水が濾材２３と効率的に接触して活性化される。そして、旋回する水流の中で濾材２３の放射エネルギーが水道水に伝えられて活性化される。活性化された水は導出口１６から需要側へ導かれることになり、水道水は活水器を通過するだけで自然界の水（分子構造が整った水）を作り出すことができる。
【００１８】
なお、前記実施形態においては、仕切り板１８に４枚の羽根板２１を設けたが、その枚数は限定されるものではなく、また傾斜角も３０°に限定されず、容器１１の内部で旋回流が発生する角度であればよい。
【００１９】
なお、この発明は、前記実施形態そのままに限定されるものではなく、実施段階ではその要旨を逸脱しない範囲で構成要素を変形して具体化できる。また、前記実施形態に開示されている複数の構成要素の適宜な組合せにより種々の発明を形成できる。例えば、実施形態に示される全構成要素から幾つかの構成要素を削除してもよい。さらに、異なる実施形態に亘る構成要素を適宜組合わせてもよい。
【図面の簡単な説明】
【００２０】
【図１】この発明の第１の実施形態を示し、活水器の縦断側面図。
【図２】同実施形態の仕切り板を示し、（ａ）は平面図、（ｂ）は縦断側面図、（ｃ）は羽根板の断面図。
【符号の説明】
【００２１】
１１…容器、１３…蓋体、１４…給水口、１６…導出口、１８…仕切り板、２０…流水孔、２１…羽根板
【図１】
2005144385.tif 000003
【図２】
2005144385.tif 000004